(57)【要約】【課題】本発明はスナック菓子やドーナツ或いはフライドチキンなどの揚げ物を食べる際、手が汚れずに食べられると共に安価に製造でき、且つ、員数管理が容易で、携帯用に適した使い捨て指サックを提供することを目的とする。【解決手段】指先用の挿入口11を有すると共に上下面が先細りになるテーパー状に形成した紙製の指サック本体１と、指サック本体１の側面に設けたマチ２と、挿入口11から突出すると共に指サック本体１の下面側に設けた舌状片３と、指サック本体１の下面の外側に取付けられた集合用帯４と、指サック本体１の内部に設けた粘着面５と、粘着面５に対向して設けると共に指サック本体１の内部に設けた剥離紙５と、から少なくとも構成したものとする。また指サック本体１の先端側下面にスベリ止め手段７を設けておくのが好ましい。【選択図】図１
2017217181.tif 000002
【特許請求の範囲】
【請求項１】
指先用の挿入口（11）を有すると共に上下面が先細りになるテーパー状に形成した紙製の指サック本体（１）と、該指サック本体（１）の側面に設けたマチ（２）と、前記挿入口（11）から突出すると共に前記指サック本体（１）の下面側に設けた舌状片（３）と、前記指サック本体（１）の下面の外側に取付けられた集合用帯（４）と、前記指サック本体（１）の内部に設けた粘着面（５）と、該粘着面（５）に対向して設けると共に前記指サック本体（１）の内部に設けた剥離紙（６）と、から少なくとも構成したことを特徴とする使い捨て指サック。
【請求項２】
前記指サック本体（１）の先端側下面にスベリ止め手段(７)を設けた請求項１記載の使い捨て指サック。
【請求項３】
前記指サック本体（１）の上面に、打ち抜きの模様(８)を刻設し、且つ、前記指サック本体（１）の下面の外側に、打ち抜きして凹部を形成した紙面が接着されて二重に重ねられた請求項１又は２記載の使い捨て指サック。
【発明の詳細な説明】
【技術分野】
【０００１】
本発明はスナック菓子やドーナツ或いはフライドチキンなどの揚げ物を食べる際、手を汚さないようするために用いる使い捨て指サックに関する。
【背景技術】
【０００２】
一般にポテトチップや油で揚げたスナック菓子などを手掴みして食べると、指先が油でベトベトになって手を汚していた。このため、手を汚さないように紙ナプキンやおしぼり或いはティッシュペーパー等を用いて、ポテトチップやスナック菓子などを掴む場合もあるが、この場合には、それらをその都度掴むことが面倒で、食べにくいため、余り行われていないのが現状である。
【０００３】
このため、ポテトチップやスナック菓子などを手掴みして食べても、指先が油でベトベトになって手を汚さないものとして、実開平４−６６９７４号「スナック菓子用サック」が提案されている。この構造は、合同な２枚の紙を縁のみ接着し、片面の中央を横切る切れ込みを入れたものである。この使用方法は、切れ込みから親指を入れ、他方に人指し指或いは複数本の指を入れて、連結する指サックとして使用し、スナック菓子などを掴んで食べれば、手が汚れず、しかも衛生的に食べることが出来るものであった。
【０００４】
しかしながら、実開平４−６６９７４号を使用する際に、２枚の紙が密着しているため、指が挿入されにくく、且つ、切れ込み位置の一方に親指を入れ、他方に人指し指などを入れると、切れ込み位置から折曲して開かれた角度範囲で食べ物を掴まなければならないため、ポテトチップやスナック菓子などの小さな食べ物を掴む場合はあまり問題にならないが、ドーナツ，フライドチキン，ピザなどの大きな食べ物を掴む場合には、開き具合が足らず、それらをしっかりと掴むことが出来ないものとなるため、それらが極めて落し易いものとなり、大きな食べ物用としては、使用しにくいもの或いは使用できないものであった。
【０００５】
近年に於いては、インターネットやゲーム機器が普及し、ポテトチップやスナック菓子などを食べながらゲームをすることが増えている。この時、手に油や塩などが付着して汚れると、キーボードなどのゲームのコントローラーが汚れて故障の原因にもなり易いものとなっているのが現状である。このため、手が汚れずにポテトチップやスナック菓子などを食べることが可能となると共に安価に提供できる商品等の開発が要望されていた。
【先行技術文献】
【特許文献】
【０００６】
【特許文献１】実開平４−６６９７４号
【発明の概要】
【発明が解決しようとする課題】
【０００７】
本発明はスナック菓子やドーナツ或いはフライドチキンなどの揚げ物を食べる際、手が汚れずに食べられると共に安価に製造でき、且つ、員数管理が容易で、しかも、複数の指サックを重ねてコンパクトに収納でき、ポケットや財布等に入れて持ち運びが容易な使い捨て指サックを提供することを目的とする。
【課題を解決するための手段】
【０００８】
本発明は上記現状に鑑みて成されたものであり、つまり、指先用の挿入口を有すると共に上下面が先細りになるテーパー状に形成した紙製の指サック本体と、指サック本体の側面に設けたマチと、挿入口から突出すると共に指サック本体の下面側に設けた舌状片と、指サック本体の下面の外側に取付けられた集合用帯と、指サック本体の内部に設けた粘着面と、粘着面に対向して設けると共に指サック本体の内部に設けた剥離紙と、から少なくとも構成したものとする。また指サック本体の先端側下面にスベリ止め手段を設けておくのが好ましく、更に、指サック本体の上面に、打ち抜きの模様を刻設し、且つ、指サック本体の下面の外側に、打ち抜きして凹部を形成した紙面が接着されて二重に重ねられたものとしても良い。
【０００９】
尚、本発明で言う「上下面が先細りになるテーパー状」とは、指サック本体の挿入口側の幅に対して、反対側（先端側）の幅が狭くなるようにテーパーが設けられた状態を指すものとする。また本発明で言う「指サック本体の上面と下面」とは、指サック本体に指先を入れた時、指よりも上側に来る面を上面と言い、指よりも下側に来る面を下面と言うことにする。
【発明の効果】
【００１０】
請求項１のように指先用の挿入口（11）を有すると共に上下面が先細りになるテーパー状に形成した紙製の指サック本体（１）と、該指サック本体（１）の側面に設けたマチ（２）と、挿入口（11）から突出すると共に指サック本体（１）の下面側に設けた舌状片（３）と、指サック本体（１）の下面の外側に取付けられた集合用帯（４）と、指サック本体（１）の内部に設けた粘着面（５）と、該粘着面（５）に対向して設けると共に指サック本体（１）の内部に設けた剥離紙（６）と、から少なくとも構成することにより、スナック菓子やドーナツ或いはフライドチキンなどの揚げ物を食べる際、手が汚れずに食べられると共に安価に製造でき、且つ、員数管理が容易に行えるものとなる。また指サック本体（１）が先細りになっているため、他の指サック本体（１）の下面に取付けた集合用帯（４）に、前記指サック本体（１）の先端を差し込んで１０個或いは１２個（１ダース）に集合させて包装すれば、包装時や保管時にコンパクトで嵩張らず且つ員数管理が容易に行えるものとなると共に棚に並べた際には、見た目が良い製品となる。更に前記舌状片（３）を下方へ押すと挿入口（11）が開かれて、指が入り易くなる。しかも、本発明品はコンパクトで嵩張らないので、ポケットや財布等に入れて持ち歩きが容易であり、携帯用に適したものとなる。
【００１１】
請求項２のように指サック本体（１）の先端側下面にスベリ止め手段(７)を設けることにより、揚げ物や滑り易い食べ物を食べる際、滑らずにそれらの食べ物を確実に掴むことができるので、最後までそれらの食べ物を周りに落とすことなく、且つ、手を汚すことなく食べることができるものとなる。
【００１２】
請求項３に示すように指サック本体（１）の上面に、打ち抜きの模様(８)を刻設し、且つ、指サック本体（１）の下面の外側に、打ち抜きして凹部を形成した紙面が接着されて二重に重ねられたものとすることにより、見た目が良く、且つ、下面の凹部から油が滲んで手を汚すことがなくなる。
【図面の簡単な説明】
【００１３】
【図１】本発明の実施形態を示す斜視図である。
【図２】本発明品を裏側から見た状態を示す斜視図である。
【図３】本発明品の展開図を示す説明図である。
【図４】他の実施形態の展開図を示す説明図である。
【図５】本実施形態のスベリ止め手段の例を示す説明図である。
【図６】本発明品が集合した状態を示す説明図である。
【発明を実施するための形態】
【００１４】
本発明の実施形態を図１、図２に基づき説明する。（１）は１本の指先が入れられるための挿入口（11）を有すると共に上下面が先細りになるようにテーパー状に形成した紙製の指サック本体であり、該指サック本体（１）は、将棋の駒状に形成されているが、この形状に限定されるものではなく、例えば、先端部が円弧状にしても良い。また指サック本体（１）の厚さは、指を入れて食べ物を掴む際に形状が崩れない程度の強度が確保出来る厚さがあれば良い。また指サック本体（１）の紙質としては、和紙，ケント紙，厚紙，コーティングを施した紙などを用いるが、これに限定されるものではない。又、その紙の色としては、桃色，黄緑色，青色などのきれいな色を用いれば、より見栄えが良くなって、商品価値が向上するものとなる。尚、前記テーパーは指サック本体（１）両側の側面に設けられている。
【００１５】
（２）は指サック本体（１）の両側の側面に設けたマチであり、該マチ（２）は、挿入口（11）に親指の第１関節が入る程度の広さを確保出来る程度広がるものであれば良い。
【００１６】
（３）は挿入口（11）から突出すると共に指サック本体（１）の下面側に設けた舌状片であり、該舌状片（３）は挿入口（11）の中央から突出させるのが好ましい。尚、前記舌状片（３）は挿入口（11）の中央だけでなく、挿入口（11）の下辺全体が突出されるものとしても良い。この舌状片（３）の役目は指を挿入する際に、指で舌状片（３）を押下げることにより、挿入口（11）が広げられて指を入れ易くするためのものである。
【００１７】
（４）は指サック本体（１）の下面の外側で且つ挿入口（11）の縁に沿って取付けられた集合用帯であり、該集合用帯（４）は一端を折返した部分が指サック本体（１）の下面の外側と接着されて取付けられ、集合用帯（４）と指サック本体（１）の下面との間に紙一枚分の隙間が設けられている。
【００１８】
（５）は指サック本体（１）の内部で且つ下面側の中央付近に設けた粘着面であり、該粘着面（５）は挿入された指を固定するためのものである。
【００１９】
（６）は粘着面（５）に対向して設けると共に指サック本体（１）の内部で且つ上面側に接着された剥離紙であり、該剥離紙（６）は粘着面（５）と同一の大きさ或いは若干大きめである。この剥離紙（６）は上面側と下面側が接着されないようにするためのものである。このため、指で舌状片（３）を押下げる際に、挿入口（11）がスムーズに広げられるものとなる。
【００２０】
（７）は指サック本体（１）の先端側下面部の外側に設けたスベリ止め手段であり、該スベリ止め手段（７）としては、指サック本体（１）の材質が滑りにくく且つ表面がザラザラした和紙を用いる方法、指サック本体（１）の下面外側にエンボス加工を施して、図５（ａ）の如く表面に凹凸を形成させる方法、スベリ止めのシールなどを図５（ｂ）の如く下面に貼り付ける方法、図５（ｃ）のように先端を外側に折返して突起した折返し片を形成する方法、図５（ｄ）に示すように切込みを入れて凹部（溝）に形成される方法等がある。特に、凹部を形成させる方法の場合には、指サック本体（１）の下面に直接形成すると、凹部から油が指先に付着する恐れが生じるため、凹部を形成した紙面は、指サック本体（１）の下面に重ねられるようにして接着され二重以上に重ねるようにすると良い（図４参照）。
【００２１】
（８）は指サック本体（１）の上面に刻設された模様であり、この模様(８)は刻設に限定されるものではなく、印刷やシールを貼着するもので模様(８)を設けても良い。
【００２２】
図３と図４は本発明品の展開図を示す図であり、これについて説明する。先ず、適宜な厚さの和紙を図３に示すような形状に切抜く。次に図中に示す１点鎖線の位置で谷折り線を入れ、点線の位置で山折り線を入れておくと共に切込み線も入れておく。そして、下面側の上面（中央面）に剥離紙（６）を図中の四角形状位置に貼着する。また下面側の上面（左面）に粘着剤を塗布して粘着面（５）を図中の四角形状位置に設ける。この粘着面（５）と剥離紙（６）は折り曲げ、完成した時には、粘着面（５）の上面に来る位置に貼着されている。又、下面側の外側へ来る右面には、集合用帯（４）を形成するための切込み線を入れておく。
【００２３】
図３に示す展開した和紙を組立てる場合について説明する。先ず始めに、谷折り線に沿って折り曲げ、山折り線に沿って折り曲げると、中央面の両側にはマチ（２）が出来る。次に左面を中央面の上に重ね、中央面の端部にある三角形を左面の上に接着剤などで貼り付ける。そして、右面を左面の上に貼り付けると共に集合用帯（４）の端部に接着剤を塗布して左面の上に貼り付ける。この時、集合用帯（４）は、左面の上に配置されると共に貼り付けられた紙１枚分の厚さだけ隙間が少なくとも出来る状態となる。
【００２４】
次に図４に示す展開図は、図３の展開図と比べると、右面に更に右端面が形成されている。又、この右端面の先端側にはスベリ止め手段（７）が設けられており、該スベリ止め手段（７）として、円弧状の曲面で複数の凹部（溝）が刻設されている。前記右端面は折返した後に右面の上に貼り付けられている。尚、前記凹部の形状は円弧状の曲面に限定されるものではなく、他の形状でも良い。
【００２５】
その後、図３或いは図４に示す展開図が組み立てられたものを、図６に示すように集合させる。この場合、先ず集合用帯（４）側を上にし、且つ、それよりも先端の指サック本体（１）の両側を掴みながら、その両側を少し押して集合用帯（４）に隙間ができるように掴む。そして、他の指サック本体（１）の先端を、集合用帯（４）の隙間に入れて、止まるまで挿入する。上記作業を繰返して指サック本体（１）の数が所定数（例えば１０個）になるまで集合させる（図６参照）。その後、１０個に集合した本発明品を透明な袋に入れて、１０個〜５０個前後の販売用の所定数量にまとめれば、製品として完成するのである。
【００２６】
次に本発明品を使用する時は、集合した本発明品を1つ取出し、集合用帯（４）が下に来るように指サック本体（１）の両側を掴み、舌状片（３）を下方へ押すと、挿入口（11）が開くので、先ず、親指を挿入口（11）から指サック本体（１）の先端に向って差し込む。すると、剥離紙（６）は粘着面（５）から離れ、親指が奥まで入った時点で人差し指と合せれば、親指が粘着面（５）に付き、固定される。次に人差し指を親指同様に挿入口（11）から指サック本体（１）の先端に向って差し込み、親指と合せれば、人差し指が粘着面（５）に付き、固定される。更に、必要に応じて他の指も、上記同様にして挿入口（11）から指サック本体（１）の先端に向って差し込み、親指と合せれば、他の指も指サック本体（１）に固定される。
【００２７】
次に本発明の作用について説明する。上記のようにして、少なくとも親指と人差し指をそれぞれに挿入口（11）から指サック本体（１）の先端に向って差し込めば、粘着面（５）によって親指や人差し指、必要に応じて他の指も指サック本体（１）に固定されるものとなる。この時、指サック本体（１）に上下面が先細りになるテーパー状に形成すると共に、その両側にマチ（２）が設けられているので、指の太さに関係なく着脱が容易に行え、且つ、その操作（動作）も簡単であり、更に粘着面（５）が設けられているため、指から指サック本体（１）が落下することもない。しかもマチ（２）が設けられているので、奥まで指が入って、掴み易いものとなる。この時、指が奥まで入らないと、先端に空間部が長くなり、掴む時に先端が折れ曲がって、食品が掴みにくくなる。
従って、指先で摘む小さなものから５本指で掴む大きなものまで食べることが可能なものとなる。この結果、ポテトチップなどのスナック菓子やクッキー及びフライドポテトなどを指先で摘んで食べる際、本発明品を用いれば、油等の汚れから指先を保護すると共に指サック本体（１）が外れることが殆どなくなり、気軽に使用し、且つ、粘着面（５）で固定されるが、指は粘着状態であるので、簡単に外れるものとなる。しかも、１枚の紙を折畳んで形成するだけの簡単な構造であるため、１個の単価が極めて安価となり、使い捨てが気軽にできるものとなった。しかも、本発明品は軽くて小さいため、携帯用に最適である。
【００２８】
更に本発明品を３本以上の指に取付ければ、フライドチキン，ピザ，ドーナツ，ホットケーキ，蟹，殻付き海老，鳥などの骨付き肉，果物等を掴んで食べることが可能となる。しかも、従来の如き、食べた後、油のベト付きや塩などの調味料及びその匂い等の付着を紙ナプキンやおしぼり或いはティッシュペーパー等を使用してきれいにする必要がなくなり、且つ、指先或いは手を拭くことも不要なものとなる。
【００２９】
このように本発明は、指サック本体（１）の上下面が先細くなるテーパー状に形成されていると共に、指サック本体（１）の下面の外側に隙間を確保して集合用帯（４）が取付けられているため、指サック本体（１）を集合用帯（４）に順次その先端を差し込んで、１０個或いは１２個（１ダース）に集合することができる。又、この集合した指サック本体（１）を包装袋に収納すれば、包装時や保管時にコンパクトで嵩張らず且つ員数管理が容易に行えるものとなる。これを販売所の棚に並べれば、見た目が良い製品となる。更に安価であるので、入手し易いものとなると共に持ち運びも容易なものとなる。しかも図１などのように先端を尖鋭化しておくと、細かな食品も摘み易いものとなる。
【符号の説明】
【００３０】
１  指サック本体
11  挿入口
２  マチ
３  舌状片
４  集合用帯
５  粘着面
６  剥離紙
７  スベリ止め手段
【図１】
2017217181.tif 000003
【図２】
2017217181.tif 000004
【図３】
2017217181.tif 000005
【図４】
2017217181.tif 000006
【図５】
2017217181.tif 000007
【図６】
2017217181.tif 000008